Podtech/llm-jp-corpus-v4-ja_patent huggingface dataset:
【手続補正書】
【提出日】令和2年1月20日(2020.1.20)
【手続補正１】
【補正対象書類名】特許請求の範囲
【補正対象項目名】全文
【補正方法】変更
【補正の内容】
【特許請求の範囲】
【請求項１】
（ａ）  下記の式（Ｉ）の重合性化合物：
【化１】
2020502084.tif 000001
（式中、
Ｒは直鎖または分枝鎖のＣ２−１８アルキルまたはアルケニル基を表し、これらはヒドロキシル基、Ｃ１−４アルコキシ基、三級アミノ基およびカルボキシル基から選択される基で置換されていてもよく、Ｃ２−１８アルキルまたはアルケニル基の主鎖中の１〜８個の炭素原子は、互いに独立して、酸素原子および硫黄原子から選択されるヘテロ原子によって置換されていてもよく、
Ｒ＊は、水素原子またはメチル基を表す）；および
（ｂ）  重合開始剤系、
を含む、歯科用組成物。
【請求項２】
Ｒは、下記の式（ＩＩ）
【化２】
2020502084.tif 000002
の基であり、
（式中、
Ｘは水素原子、ヒドロキシル基、Ｃ１−４アルコキシ基、三級アミノ基またはカルボキシル基であり；
Ｚは酸素原子または硫黄原子であって、複数のＺが存在する場合、前記Ｚは同一または異なっていてもよく；
Ｒ１はヒドロキシル基、Ｃ１−４アルキル基、Ｃ１−４アルコキシ基、三級アミノ基、およびカルボキシル基から選択される基または水素原子であり、複数のＲ１が存在する場合、同一でも異なっていてもよく；
Ｒ２はヒドロキシル基、Ｃ１−４アルキル基、Ｃ１−４アルコキシ基、三級アミノ基、およびカルボキシル基から選択される基または水素原子であり、複数のＲ２が存在する場合、同一でも異なっていてもよく；
ａ  は０または１であり；
ｂ  は２〜１８の整数であり；
ｃ  は２〜１６の整数であり；
ｄ  は０〜８の整数であり；
ｅ  は、１〜３の整数である）、請求項１に記載の歯科用組成物。
【請求項３】
重合性化合物は下記の式（ＩＩＩ）または（ＩＶ）の化合物であって：
【化３】
2020502084.tif 000003
（式中、
Ｒ＊は水素原子またはメチル基を表し、好ましくは水素原子を表し
Ｘはヒドロキシル基、三級アミノ基またはカルボキシル基であり；
ｎは５〜１８の整数であり、
ｍは２〜１５の整数である）、請求項１または２に記載の歯科用組成物。
【請求項４】
前記式（ＩＩＩ）の化合物におけるｎは６〜１２であり、または前記式（ＩＶ）の化合物におけるｎは２〜８である、請求項３に記載の歯科用組成物。
【請求項５】
前記式（Ｉ）の重合性化合物の２３℃における動的粘度が、最大で１０Ｐａ・ｓである、請求項１〜４のいずれか一項に記載の歯科用組成物。
【請求項６】
Ｘがヒドロキシ基またはカルボン酸基である、請求項１〜５のいずれか一項に記載の歯科用組成物。
【請求項７】
前記式（Ｉ）の化合物が、組成物の総重量に基づいて１〜８０重量パーセントの量で含有される、請求項１〜６のいずれか一項に記載の歯科用組成物。
【請求項８】
前記重合開始剤が光開始剤、レドックス開始剤、またはそれらの混合物である、請求項１〜７のいずれか一項に記載の歯科用組成物。
【請求項９】
前記重合開始剤が、組成物の総重量に基づいて０．０１〜１０重量パーセントの量で含有される、請求項１〜８のいずれか一項に記載の歯科用組成物。
【請求項１０】
高充填歯科用複合材、流動性歯科用複合材、小窩裂溝封鎖材、歯科用接着剤、歯科用セメント、根管シーラー、グラスアイオノマーセメントおよび歯科用溶浸剤から選択される、請求項１〜９のいずれか一項に記載の歯科用組成物。
【請求項１１】
下記の式（Ｉ’）：
【化４】
2020502084.tif 000004
の重合性化合物であって、
（式中、
Ｒ’は直鎖または分枝鎖のＣ５−１８アルキルまたはアルケニル基を表し、これらはヒドロキシル基、Ｃ１−４アルコキシ基、三級アミノ基およびカルボキシル基から選択される基で置換されていてもよく、Ｃ５−１８アルキルまたはアルケニル基の主鎖中の１〜８個の炭素原子は、互いに独立して、酸素原子および硫黄原子から選択されるヘテロ原子によって置換されていてもよく、
Ｒ＊’は、水素原子またはメチル基を表し、
但し、前記化合物は、Ｎ−アリル−Ｎ−トリデシルアクリルアミド、Ｎ−アリル−Ｎ−（２，５，８，１１−テトラオキサトリデカン−１３−イル）アクリルアミドまたはＮ−オクチル−Ｎ−アリルアクリルアミドではない）。
【請求項１２】
Ｒ’は、下記の式（ＩＩ’）
【化５】
2020502084.tif 000005
の基であって、
（式中、
Ｘは水素原子、ヒドロキシル基、Ｃ１−４アルコキシ基、三級アミノ基またはカルボキシル基であり；
Ｚは酸素原子または硫黄原子であって、複数のＺが存在する場合、前記Ｚは同一または異なっていてもよく；
Ｒ１はヒドロキシル基、Ｃ１−４アルキル基、Ｃ１−４アルコキシ基、三級アミノ基、およびカルボキシル基から選択される基または水素原子であり、複数のＲ１が存在する場合、同一でも異なっていてもよく；
Ｒ２はヒドロキシル基、Ｃ１−４アルキル基、Ｃ１−４アルコキシ基、三級アミノ基、およびカルボキシル基から選択される基または水素原子であり、複数のＲ２が存在する場合、同一でも異なっていてもよく；
ａは０または１であり；
ｂは２〜１８の整数であり；
ｃは２〜１６の整数であり；
ｄは０〜８の整数であり；
ｅは１〜３の整数であり、
但し、ａ＝ｄ＝０であるとき、ｂは少なくとも５である）、請求項１１に記載の化合物。
【請求項１３】
下記の式（ＩＩＩ’）または（ＩＶ’）：
【化６】
2020502084.tif 000006
（式中、
Ｒ＊’は水素原子またはメチル基を表し、好ましくは水素原子を表し
Ｘ’は水素原子、ヒドロキシル基、三級アミノ基またはカルボキシル基であり；
ｎ’は５〜１８の整数であり、
ｍ’は２〜１５の整数である）
の化合物である、請求項１２に記載の化合物。
【請求項１４】
以下の化合物：
【化７】
2020502084.tif 000007
から選択される、請求項１３に記載の化合物。
【請求項１５】
歯科用組成物における請求項１１〜１４のいずれか一項に記載の化合物の使用。
【手続補正書】
【提出日】令和2年2月10日(2020.2.10)
【手続補正１】
【補正対象書類名】特許請求の範囲
【補正対象項目名】全文
【補正方法】変更
【補正の内容】
【特許請求の範囲】
【請求項１】
前記内視鏡の内視鏡シャフトの長手方向軸（６８、８０）に対して遠位側方視野角θを有する中央ビーム経路（６７、７９）を備える側視内視鏡のための光学系（６０、７０）であって、
プリズム群（６１、７１）を有する遠位光学アセンブリであって、前記プリズム群は、前記内視鏡シャフトの前記長手方向軸（６８、８０）の方向において前記側方視野角の周りに画定される視野からの入射光を、第１反射面（６５、７７）及び第２反射面（６６、７８）にて反射させることで偏向させるように設計され、２つ以上のプリズム（６２、６３、７２、７３、７４）であって、それらの互いに隣り合う境界面が互いに対して平行に対をなして配置されるとともに、各々がギャップ（６４、７５、７６）により隔たれられた２つ以上のプリズムを備える、遠位光学アセンブリを備え、
視野外からの前記入射光の一部の全反射が、プリズム（６２、７２、７３）と次に続く前記ギャップ（６４、７５、７６）との間の境界面にて生じ、
前記プリズム群（６１、７１）は直径Ｄを有する円筒形の筒（８５）を有し、前記プリズム群（６１、７１）の入射側の第１プリズム（６２、７２）は、くさび角βと前記中央ビーム経路（６７、７９）の光学経路の長さａとを有するくさび形状に設計され、
前記第１プリズム（６２、７２）の入射面は、該入射面と前記中央ビーム経路（６７、７９）が及ぶ平面との交差線の長さとして規定される長さＬを有し、
前記第１プリズム（６２、７２）は、
ａ＜ｃｏｓθ・ｔａｎβ・Ｄ／２、及び、Ｌ＜Ｄ／ｃｏｓθ
といった条件を満たすことを特徴とする、光学系。
【請求項２】
前記プリズム群（７１）は、３つのプリズム（７２、７３、７４）を有し、
前記第２のプリズム（７３）は、くさび形状に設計され、具体的には、くさび角２βを有するくさび形状に設計され、
前記３つのプリズム（７２、７３、７４）間の複数のギャップ（７５、７６）が、前記中央ビーム経路（７９）に対して異なる方向に角度づけられるように、前記第２プリズム（７３）の前記くさび角は、前記第１プリズム（７２）の前記くさび角と対向する前記第１プリズムの辺と隣り合い、前記第１プリズムの前記くさび角は、前記第２プリズム（７３）の前記くさび角と対向する前記第２プリズム（７３）の辺と隣り合うことを特徴とする、
請求項１に記載の光学系。
【請求項３】
前記ギャップ（６４）又は前記複数のギャップ（７５、７６）は前記プリズム（６２、６３、７２、７３、７４）のために使用されるガラスよりも光学密度が低い媒質により充填される、
ことを特徴とする、請求項１又は請求項２に記載の光学系。
【請求項４】
前記媒質は、真空、不活性雰囲気、及び空気のいずれかである、
ことを特徴とする、請求項３に記載の光学系。
【請求項５】
前記第１プリズム（６２、７２）及び／又は前記第２プリズム（６３、７６）は、下部切断部（８８、８８´、８８´´）及び／又は上部切断部（８１、８１´）を有することを特徴とする、
請求項１から請求項４のいずれか１項に記載の光学系。
【請求項６】
前記プリズム群（６１、７１）における前記プリズム（６２、６３、７２、７３、７４）の前記下部切断部（８８、８８´、８８´´）又は前記上部切断部（８１、８１´）は、高さにおいて積層されて形成されることを特徴とする、
請求項１から請求項５のいずれか１項に記載の光学系。
【請求項７】
近位光学アセンブリ（１２）と少なくとも１つの画像センサ（１８）又は前記近位光学アセンブリ（１２）と近接した対眼鏡と、を備えることを特徴とする、
請求項１から請求項６のいずれか１項に記載の光学系。
【請求項８】
前記遠位光学アセンブリは、前記第１プリズム（６２、６３）の前記入射面の前に入射光の方向に設けられた入射レンズ（２６）を備えることを特徴とする、請求項１から請求項７のいずれか１項に記載の光学系。
【請求項９】
請求項１から請求項８のいずれか１項に記載の光学系を備える側視内視鏡。
【手続補正書】
【提出日】令和2年7月1日(2020.7.1)
【手続補正１】
【補正対象書類名】特許請求の範囲
【補正対象項目名】全文
【補正方法】変更
【補正の内容】
【特許請求の範囲】
【請求項１】
ベースと、前記ベースの一方側に位置する複数の画素領域とを含み、少なくとも１つの画素領域にカラーフィルタと、補助部とが設けられ、前記カラーフィルタと前記補助部は一体成形され、前記補助部内に空気孔が設けられる表示基板。
【請求項２】
前記補助部が前記カラーフィルタの周辺領域に設けられる、請求項１に記載の表示基板。
【請求項３】
少なくとも２つ隣接する画素領域間に遮光パターンが設けられる、請求項１に記載の表示基板。
【請求項４】
前記遮光パターンがブラックマトリクスを含む、請求項３に記載の表示基板。
【請求項５】
前記ブラックマトリクスに空気孔が設けられる、請求項４に記載の表示基板。
【請求項６】
少なくとも３つ隣接する画素領域に異なる色のカラーフィルタが設けられ、異なる色の前記カラーフィルタはレッドフィルタ、グリーンフィルタ、ブルーフィルタを含み、前記遮光パターンは順次積層された第１部分、第２部分、第３部分を含み、
前記レッドフィルタと前記第１部分が同時に形成され、且つ材料が同一であり、
前記グリーンフィルタと前記第２部分が同時に形成され、且つ材料が同一であり、
前記ブルーフィルタと前記第３部分が同時に形成され、且つ材料が同一である、請求項３〜５のいずれか１項に記載の表示基板。
【請求項７】
前記第１部分、前記第２部分、前記第３部分にいずれも空気孔が設けられる、請求項６に記載の表示基板。
【請求項８】
前記第１部分は、これに隣接する、レッドフィルタと一体成形された補助部である、請求項７に記載の表示基板。
【請求項９】
前記空気孔が溝または貫通孔である、請求項１〜８のいずれか１項に記載の表示基板。
【請求項１０】
前記ベースと前記カラーフィルタとの間において、ベース上に絶縁層、第１電極、有機発光ダイオード、第２電極、平坦化層が順次設けられる、請求項１〜９のいずれか１項に記載の表示基板。
【請求項１１】
前記有機発光ダイオードが白色光有機発光ダイオードである、請求項１０に記載の表示基板。
【請求項１２】
請求項１〜１１のいずれか１項に記載の表示基板を含む表示装置。
【請求項１３】
ベースの上方に一次パターニングにより前記カラーフィルタと前記補助部を形成することで、前記補助部内に空気孔を形成する、請求項１に記載の表示基板の製造方法。
【請求項１４】
ベースの上方に一次パターニングにより前記カラーフィルタと前記補助部を形成することで、前記補助部内に空気孔を形成する前記ステップは、
前記ベースの上方にカラーフィルタ材料、転写犠牲層、転写基板を順次設け、前記転写基板の予め設定された位置に、光線が通過できる中空パターンと光線が通過できない突起とを設けるステップと、
光線が前記転写基板を介して前記転写犠牲層の対応位置に照射されるステップと、
前記転写犠牲層が熱を受けて溶解することで、前記中空パターンに対応するカラーフィルタ材料を前記ベースの上方の予め設定された位置に転写させて、カラーフィルタと補助部を形成し、且つ前記突起により前記補助部内に空気孔を形成するステップと、を含む、請求項１３に記載の製造方法。
【請求項１５】
ベースの上方に一次パターニングにより前記カラーフィルタと前記補助部を形成することで、前記補助部内に空気孔を形成する前記ステップは、
前記ベースの上方にカラーフィルタ材料、光熱転換層、転写基板を順次設け、前記転写基板の予め設定された位置に、光線が通過できる中空パターンを設け、前記光熱転換層上の予め設定された位置に、光線が通過できない突起を設けるステップと、
光線が前記転写基板を介して前記光熱転換層の対応位置に照射されるステップと、
前記光熱転換層が前記光線を熱に変換することで、前記中空パターンに対応するカラーフィルタ材料を前記ベースの上方の予め設定された位置に転写させて、カラーフィルタと補助部を形成し、且つ前記突起により前記補助部内に空気孔を形成するステップと、を含む、請求項１３に記載の製造方法。
【請求項１６】
ベースの上方に一次パターニングにより前記カラーフィルタと前記補助部を形成することで、前記補助部内に空気孔を形成する前記ステップは、
前記ベースの上方にカラーフィルタ材料、光熱転換層、転写基板、転写マスクプレートを順次設け、前記転写基板は透明な材料を用いて作製され、前記転写マスクプレートの予め設定された位置に、光線が通過できる中空パターンを設け、前記光熱転換層の予め設定された位置に、光線が通過できない突起を設けるステップと、
光線が前記転写マスクプレートと前記転写基板を介して前記光熱転換層の対応位置に照射されるステップと、
前記光熱転換層が前記光線を熱に変換することで、前記中空パターンに対応するカラーフィルタ材料を前記ベースの上方の予め設定された位置に転写させて、カラーフィルタと補助部を形成し、且つ前記突起により前記補助部内に空気孔を形成するステップと、を含む、請求項１３に記載の製造方法。
【請求項１７】
少なくとも２つ隣接するカラーフィルタの間に遮光パターンを形成するステップをさらに含む、請求項１３〜１６のいずれか１項に記載の製造方法。
【請求項１８】
前記遮光パターンがブラックマトリクスを含み、任意の２つ隣接する画素領域に異なる色のカラーフィルタを設け、
少なくとも２つ隣接するカラーフィルタの間に遮光パターンを形成する前記ステップは、
レーザ転写技術を用いて前記ブラックマトリクスを形成することで、前記ブラックマトリクス内に空気孔を形成するステップを含む、請求項１７に記載の製造方法。
【請求項１９】
任意の３つ隣接する画素領域に異なる色のカラーフィルタを設け、前記異なる色のカラーフィルタはレッドフィルタ、グリーンフィルタ、ブルーフィルタを含み、前記遮光パターンは順次積層された第１部分、第２部分、第３部分を含み、
少なくとも２つ隣接するカラーフィルタの間に遮光パターンを形成する前記ステップは、ベースの上方に一次パターニングにより前記カラーフィルタと前記補助部を形成することで、前記補助部内に空気孔を形成する前記ステップと同期して行われ、
前記レッドフィルタと前記第１部分を一次レーザ転写により形成し、且つ前記第１部分内に空気孔を形成することと、
前記グリーンフィルタと前記第２部分を一次レーザ転写により形成し、且つ前記第２部分内に空気孔を形成することと、
前記ブルーフィルタと前記第３部分を一次レーザ転写により形成し、且つ前記第３部分内に空気孔を形成することと、を含む、請求項１７に記載の製造方法。
【請求項２０】
前記空気孔は溝または貫通孔である、請求項１３〜１９のいずれか１項に記載の製造方法。
【請求項２１】
ベースの上方に一次パターニングにより前記カラーフィルタと前記補助部を形成することで、前記補助部内に空気孔を形成する前記ステップの前に、
前記ベース上に絶縁層、第１電極、有機発光ダイオード、第２電極、平坦化層を順次設けるステップをさらに含む、請求項１３〜１９のいずれか１項に記載の製造方法。
【請求項２２】
前記有機発光ダイオードが白色光有機発光ダイオードである、請求項２１に記載の製造方法。
【手続補正２】
【補正対象書類名】図面
【補正対象項目名】図９
【補正方法】変更
【補正の内容】
【図９】
2020502550.tif 000001
【手続補正書】
【提出日】令和2年1月22日(2020.1.22)
【手続補正１】
【補正対象書類名】特許請求の範囲
【補正対象項目名】全文
【補正方法】変更
【補正の内容】
【特許請求の範囲】
【請求項１】
ホスト材料および複数の複合繊維を含む赤外線遮断層を含む物品であって、前記複数の複合繊維が、前記ホスト材料に包埋されており、前記赤外線遮断層の領域中の前記複数の複合繊維の平均繊維角度が、前記赤外線遮断層の主表面に対して０〜２０°であり、前記平均繊維角度が、前記主表面のうちの１つに対する前記複合繊維の中心繊維軸の相対角度を基準に決定され、
前記複数の複合繊維の前記複合繊維の各々が、コントラスト材料およびマトリックス材料を含み、前記コントラスト材料が、前記マトリックス材料中に、赤外線放射に曝露された場合フォトニックバンドギャップが現れるフォトニック結晶を形成し、
前記複数の複合繊維が、
フォトニックバンドギャップファイバー中の前記コントラスト材料が、前記コントラスト材料の六角格子、ハニカム格子、方形格子、三角格子、カゴメ格子もしくは前述のもののうちの少なくとも１つを含む組合せを形成するロッドである、複数のフォトニックバンドギャップファイバー、または
内部繊維コアの周りに同心円状に位置決めされた前記コントラスト材料の同心環の１−Ｄフォトニック結晶配置を有する複数のブラッグファイバー
のうちの少なくとも１つを含むことを特徴とする、物品。
【請求項２】
請求項１に記載の物品であって、前記複数の複合繊維が、前記複数のフォトニックバンドギャップファイバーを含むことを特徴とする、物品。
【請求項３】
請求項２に記載の物品であって、各ロッドが個々に、５〜５０マイクロメートルのロッド直径、およびそれが位置決めされている前記複合繊維の長さの５％以内であるロッド長さを有することを特徴とする、物品。
【請求項４】
請求項１〜３のいずれか１項に記載の物品であって、前記複数の複合繊維が、前記複数のブラッグファイバーを含むことを特徴とする、物品。
【請求項５】
請求項４に記載の物品であって、前記内部繊維コアおよび前記ホスト材料が、各々個々に、ポリカーボネートを含み、前記コントラスト材料の前記環が、フッ素化ポリマーを含むことを特徴とする、物品。
【請求項６】
請求項１〜５のいずれか１項に記載の物品であって、前記コントラスト材料がコントラスト材料屈折率ｎｏを有し、前記マトリックス材料がマトリックス材料屈折率ｎｍを有し、ｎｏ≧１．２ｎｍであり、前記ホスト材料がホスト屈折率ｎｈを有し、ｎｍがｎｈの１０％以内であることを特徴とする、物品。
【請求項７】
請求項１〜６のいずれか１項に記載の物品であって、前記複数の複合繊維が２〜１０ｍｍの平均複合繊維長さを有し、前記複数の複合繊維が、クラッディングを含まず５０〜１，０００マイクロメートルの平均最短寸法を有することを特徴とする、物品。
【請求項８】
請求項１〜７のいずれか１項に記載の物品であって、前記複数の複合繊維が前記複合繊維の外面に位置決めされた繊維クラッディングを含み、前記繊維クラッディングが、０．１〜３ｍｍの厚さを有することを特徴とする、物品。
【請求項９】
請求項８に記載の物品であって、前記繊維クラッディングが、ポリカーボネート、ポリエステル、アクリロニトリル−ブタジエン−スチレンポリマーのうちの少なくとも１つを含むことを特徴とする、物品。
【請求項１０】
請求項１〜９のいずれか１項に記載の物品であって、前記ホスト材料がポリカーボネート、ポリエステル、アクリロニトリル−ブタジエン−スチレンポリマーのうちの少なくとも１つを含み、前記コントラスト材料が、ガラス、フルオロポリマーまたは熱屈折材料を含み、前記マトリックス材料が、ガラスまたは熱可塑性ポリマーを含むことを特徴とする、物品。
【請求項１１】
請求項１〜１０のいずれか１項に記載の物品であって、前記マトリックス材料、前記ホスト材料が、同じであることを特徴とする、物品。
【請求項１２】
請求項１〜１１のいずれか１項に記載の物品であって、前記赤外線遮断層の表面に位置決めされた、繊維非含有領域をさらに含むことを特徴とする、物品。
【請求項１３】
請求項１〜１２のいずれか１項に記載の物品であって、窓または照明用レンズであることを特徴とする、物品。
【請求項１４】
請求項１〜１３のいずれか１項に記載の物品を作製する方法であって、
ホスト材料および複数の複合繊維を混合して混合物を形成するステップ、ならびに
前記混合物から赤外線遮断層を形成するステップ
を含み、前記物品が前記赤外線遮断層を含むことを特徴とする、方法。
【請求項１５】
請求項１４に記載の方法であって、前記赤外線遮断層を形成するステップが、射出成形、押出、フィルムインサート成形、インモールドコーティングのうちの少なくとも１つを含むことを特徴とする、方法。
【請求項１６】
請求項１４〜１５のいずれか１項に記載の方法であって、前記ホスト材料を溶融して溶融ホスト材料を形成するステップをさらに含み、
前記混合物を形成するステップが、前記複数の複合繊維を溶融ホスト材料と混合することを含み、前記複数の複合繊維が繊維クラッディングを含み、方法が、前記混合物を形成するステップおよび前記赤外線遮断層を形成するステップの間に、前記繊維クラッディングを部分的にのみ溶融するステップを含むことを特徴とする、方法。
【請求項１７】
請求項１〜１３のいずれか１項に記載の物品を作製する方法であって、
複数の複合繊維を含まないホスト層、複数の複合繊維を含む繊維層および複数の複合繊維を含まない任意選択のポリマー層を含む積層スタックを形成するステップ、ならびに
前記ホスト層におよび任意選択で前記任意選択のポリマー層に、前記複数の複合繊維を包埋するステップを含むことを特徴とする、方法。
【請求項１８】
請求項１７に記載の方法であって、前記積層スタックを形成するステップが、積層、フィルムインサート成形または反応射出成形を含むことを特徴とする、方法。
【請求項１９】
請求項１〜１３のいずれか１項に記載の物品を作製する方法であって、
複合繊維を含まないホスト層、複数の複合繊維を含む繊維層および複合繊維を含まない任意選択のポリマー層を共押出するステップであり、前記複合繊維が、事前形成された繊維である、ステップ、ならびに
前記ホスト層および前記任意選択のポリマー層のうちの少なくとも１つに、前記複数の複合繊維を包埋するステップを含むことを特徴とする、方法。
【手続補正書】
【提出日】令和1年6月18日(2019.6.18)
【手続補正１】
【補正対象書類名】特許請求の範囲
【補正対象項目名】全文
【補正方法】変更
【補正の内容】
【特許請求の範囲】
【請求項１】
導電性粒子および／または分極性粒子を検出するためのセンサ（１０）であって、
基板（２０）と、
少なくとも２つの空間的に分離されかつ噛み合い電極（３１、３２）を有する基板（２０）上に形成された電極層（３０）と、
を備え、
少なくとも１つの被覆層（４０）は、前記基板（２０）の反対側に面する電極層（３０）側（３５）に形成され、
前記被覆層（４０）には、少なくとも２つの電極（３１、３２）の表面（３５、３６）の少なくとも部分を露出させる複数の開口部（５０）が設けられていることを特徴とする、センサ（１０）。
【請求項２】
前記開口部（５０）はスロットの形状に構成され、
前記開口部のスロット幅は１．０μｍから５０．０μｍの間であることを特徴とする請求項１に記載のセンサ（１０）。
【請求項３】
前記電極（３１、３２）は、それぞれ、複数の長手方向フィンガー部（３３、３４）を備えることを特徴とする、請求項１または請求項２に記載のセンサ（１０）。
【請求項４】
前記電極（３１、３２）は、それぞれ、複数の長手方向フィンガー部（３３、３４）を備え、
スロット（５０）の前記形状の前記開口部の長手方向領域（ＬＯ）は、構造において、前記長手方向フィンガー部（３３、３４）の長手方向領域（ＬＥ）に対して平行および／または垂直であり、
スロット（５０）の前記形状のすべての前記開口部の長手方向領域（ＬＯ）は、構成において、互いに平行であることを特徴とする、請求項２に記載のセンサ（１０）。
【請求項５】
前記開口部（５０）は、フィンガー部（３３、３４）の側面（３６）の少なくとも一部、および／または、フィンガー部（３３、３４）の上側（３５）の少なくとも一部を露出させることを特徴とする、請求項３または請求項４に記載のセンサ（１０）。
【請求項６】
前記開口部（５０）は、前記フィンガー部（３３、３４）の上側（３５）の縁部領域（３９）の少なくとも一部を露出させることを特徴とする、請求項５に記載のセンサ（１０）。
【請求項７】
前記露出した電極部の前記表面（３５、３６）の少なくとも部分は、ガラス繊維および／または粒子で被覆されていることを特徴とする、請求項１ないし６のいずれか１項に記載のセンサ（１０）。
【請求項８】
前記露出した電極部の前記表面（３５、３６）の少なくとも部分は、酸化アルミニウム粒子（Ａｌ２Ｏ３）および／または二酸化ケイ素粒子（ＳｉＯ２）で被覆されていることを特徴とする、請求項１ないし６のいずれか１項に記載のセンサ（１０）。
【請求項９】
少なくとも１つの電極（３１、３２）は白金から形成されることを特徴とする、請求項１ないし８のいずれか１項に記載のセンサ（１０）。
【請求項１０】
前記センサ（１０）が、煤センサである、請求項１ないし９のいずれか１項に記載のセンサ（１０）。
【請求項１１】
請求項１ないし１０のいずれか１項に記載のセンサ（１０）の製造方法であって、
ａ）基板（２０）を用意するステップと、
ｂ）前記基板（２０上に少なくとも２つの空間的に分離され噛み合い電極（３１、３２）を有する電極層（３０）を形成するステップと、
ｃ）前記電極層（３０）に被覆層（４０）を塗布するステップと、
ｄ）少なくとも１つの電極（３１、３２）の表面（３５、３６）の少なくとも部分が露出しているように、レーザを使用して、開口部（５０）を被覆層（４０）に導入するステップと、
のステップを含むことを特徴とする方法。
【請求項１２】
前記開口部は、スロットの形状の開口部である、請求項１１に記載の方法。
【請求項１３】
超短パルスレーザが、ステップｄ）において使用されることを特徴とする、請求項１１または請求項１２に記載の方法。
【請求項１４】
ステップｂ）において、最初に、平面電極層（３０）は、基板（２０）に適用され、その後、電極層（３０）が構造化されることを特徴とする、請求項１１ないし１３のいずれか１項に記載の方法。
【請求項１５】
前記電極層（３０）の構造化は、レーザを用いて行われることを特徴とする、請求項１４に記載の方法。
【請求項１６】
前記レーザは、超短パルスレーザである、請求項１５に記載の方法。
【請求項１７】
ステップｂ）において、構造化された前記電極層（３０）は、スクリーン印刷によって製造されることを特徴とする、請求項１１ないし１３のいずれか１項に記載の方法。
【請求項１８】
ステップｃ）では、スクリーン印刷を用いて、または、熱蒸発を使用して、または、ＡＤＭ（エアロゾルデポジション法）を使用して被覆層（４０）を塗布することを特徴とする、請求項１１ないし１７のいずれか１項に記載の方法。
【手続補正書】
【提出日】令和1年6月19日(2019.6.19)
【手続補正１】
【補正対象書類名】特許請求の範囲
【補正対象項目名】全文
【補正方法】変更
【補正の内容】
【特許請求の範囲】
【請求項１】
複数のアレイ要素と、該複数のアレイ要素へ結合されるスイッチ網とを有し、
前記複数のアレイ要素の夫々は、時分割複信（ＴＤＤ）動作及び周波数分割複信（ＦＤＤ）動作のために構成され、
前記スイッチ網は、前記複数のアレイ要素のうちの１つ以上のアレイ要素をＴＤＤモードとＦＤＤモードとの間で切り替えるよう複数の段を有し、
前記スイッチ網は、第１モードスイッチング段及び第２モードスイッチング段並びにクロスオーバースイッチング段を有する、
アクティブ電子走査アレイ（ＡＥＳＡ）。
【請求項２】
前記スイッチ網は、前記第１モードスイッチング段と前記第２モードスイッチング段との間の信号経路上に配置されたフィルタバンクスイッチング段を更に有する、
請求項１に記載のＡＥＳＡ。
【請求項３】
前記複数のアレイ要素の夫々は、送信要素、受信要素又は分離要素のうちの少なくとも１つとして動作するよう構成される、
請求項１に記載のＡＥＳＡ。
【請求項４】
前記複数のアレイ要素の夫々は、前記ＴＤＤモードで送信要素又は受信要素として動作するよう構成される、
請求項１に記載のＡＥＳＡ。
【請求項５】
前記ＦＤＤモードで、前記複数のアレイ要素のうちの第１部分は、送信要素として動作するよう構成され、前記複数のアレイ要素のうちの第２部分は、受信要素として動作するよう構成され、前記複数のアレイ要素のうちの第３部分は、分離要素として動作するよう構成される、
請求項１に記載のＡＥＳＡ。
【請求項６】
前記スイッチ網は、前記分離要素が前記送信要素と前記受信要素との間に配置されるように前記複数のアレイ要素へ結合される、
請求項５に記載のＡＥＳＡ。
【請求項７】
前記第１モードスイッチング段及び前記第２モードスイッチング段は、当該ＡＥＳＡを通る少なくとも２つの信号経路上に配置された１つ以上の無線周波数（ＲＦ）スイッチを含む、
請求項２に記載のＡＥＳＡ。
【請求項８】
前記フィルタバンクスイッチング段は、前記第１モードスイッチング段及び前記第２モードスイッチング段における前記１つ以上のＲＦスイッチへ結合されたＦＤＤ送信フィルタバンク、ＦＤＤ受信フィルタバンク、及びＴＤＤフィルタバンクを有する、
請求項７に記載のＡＥＳＡ。
【請求項９】
前記クロスオーバースイッチング段は、当該ＡＥＳＡを通る２つの信号経路が交差するように配置された２つ以上の無線周波数（ＲＦ）スイッチを含む、
請求項１に記載のＡＥＳＡ。
【請求項１０】
前記複数のアレイ要素の夫々は、フィードポート、アンテナポート、振幅ユニット、位相ユニット、及び１つ以上の負荷ユニットを備える、
請求項１に記載のＡＥＳＡ。
【請求項１１】
前記アンテナポート及び前記フィードポートは、各々のアレイ要素を分離要素に変換するよう前記１つ以上の負荷ユニットへ結合される、
請求項１０に記載のＡＥＳＡ。
【請求項１２】
時分割複信（ＴＤＤ）モードと周波数分割複信（ＦＤＤ）モードとの間でアクティブ電子走査アレイ（ＡＥＳＡ）を切り替える方法であって、
複数のアレイ要素を設けることであり、該複数のアレイ要素の夫々は、時分割複信（ＴＤＤ）動作及び周波数分割複信（ＦＤＤ）動作のために構成される、ことと、
前記複数のアレイ要素をＴＤＤモードとＦＤＤモードとの間で切り替えることと、
前記複数のアレイ要素のうちの１つ以上を、前記ＴＤＤモード又は前記ＦＤＤモードへの切り替えに応答して、送信要素、受信要素又は分離要素のうちの少なくとも１つへ変換することと
を有する方法。
【請求項１３】
前記ＴＤＤモードと前記ＦＤＤモードとの間で前記複数のアレイ要素を切り替えることは、複数の段を有するスイッチ網を使用することを有し、該スイッチ網は、第１モードスイッチング段及び第２モードスイッチング段、クロスオーバースイッチング段、並びにフィルタバンクスイッチング段を有する、
請求項１２に記載の方法。
【請求項１４】
前記複数のアレイ要素のうちの１つ以上を変換することは、前記ＴＤＤモードで送信要素又は受信要素として動作するよう前記複数のアレイ要素の夫々を構成することを有する、
請求項１２に記載の方法。
【請求項１５】
前記複数のアレイ要素のうちの１つ以上を変換することは、前記ＦＤＤモードで、送信要素として動作するよう前記複数のアレイ要素のうちの第１部分を構成し、受信要素として動作するよう前記複数のアレイ要素のうちの第２部分を構成し、分離要素として動作するよう前記複数のアレイ要素のうちの第３部分を構成することを有する、
請求項１２に記載の方法。
【請求項１６】
前記複数のアレイ要素のうちの１つ以上を変換することは、前記分離要素が前記送信要素と前記受信要素との間に配置されるように前記複数のアレイ要素を変換することを有する、
請求項１４に記載の方法。
【請求項１７】
前記複数のアレイ要素をＴＤＤ動作からＦＤＤ動作へ及びＦＤＤ動作からＴＤＤ動作へ変化させるよう前記第１モードスイッチング段及び前記第２モードスイッチング段の中の結合を変更することを更に有する、
請求項１３に記載の方法。
【請求項１８】
前記複数のアレイ要素の中の第１グループを送信要素から受信要素へ変換し、前記複数のアレイ要素の中の第２グループを受信要素から送信要素へ変換するよう前記クロスオーバースイッチング段の中の結合を変更することを更に有する、
請求項１３に記載の方法。
【請求項１９】
前記複数のアレイ要素の夫々は、フィードポート、アンテナポート、振幅ユニット、位相ユニット、及び１つ以上の負荷ユニットを有する、
請求項１２に記載の方法。
【請求項２０】
各々のアレイ要素を前記分離要素に変換するよう前記フィードポート及び前記アンテナポートを前記１つ以上の負荷ユニットへ結合することを更に有する、
請求項１９に記載の方法。
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
無線通信システムにおける端末（ＵＥ）の確認応答（ａｃｋｎｏｗｌｅｄｇｅｍｅｎｔ／ｎｏｔ−ａｃｋｎｏｗｌｅｄｇｅｍｅｎｔ；ＡＣＫ／ＮＡＣＫ）情報を受信する方法であって、
ネットワークに、アップリンクデータを送信し、及び
前記ネットワークから、前記ＡＣＫ／ＮＡＣＫ情報を含む、第１ダウンリンク制御情報（ｄｏｗｎｌｉｎｋ  ｃｏｎｔｒｏｌ  ｉｎｆｏｒｍａｔｉｏｎ；ＤＣＩ）を受信することを含んでなり、
前記ＡＣＫ／ＮＡＣＫ情報は、複数のＨＡＲＱプロセスＩＤ（ｈｙｂｒｉｄ  ａｕｔｏｍａｔｉｃ  ｒｅｐｅａｔ  ｒｅｑｕｅｓｔ  ｐｒｏｃｅｓｓ  ｉｄｅｎｔｉｆｉｅｒ）であり、
前記ＡＣＫ／ＮＡＣＫ情報の長さは複数のビットであり、
前記複数のＨＡＲＱプロセスＩＤは、昇順において、前記複数のビットであり、
前記複数のＨＡＲＱプロセスＩＤにおける各ＨＡＲＱプロセスＩＤは、前記複数のビットにおける１つのビットであることを特徴とする、データ再送信方法。
【請求項２】
前記ネットワークに、前記アップリンクデータを再送信することを更に含んでなり、
前記再送信は、非適応型（ｎｏｎ−ａｄａｐｔｉｖｅ）再送信であることを特徴とする、請求項１に記載のデータ再送信方法。
【請求項３】
前記第１ＤＣＩは、サブフレームウィンドウ内のサブフレーム別に再送信を指示することを特徴とする、請求項１に記載のデータ再送信方法。
【請求項４】
前記第１ＤＣＩは、アップリンク（ｕｐｌｉｎｋ：ＵＬ）グラント内に何番目のスケジューリングであるかを示すカウンタフィールドが定義されたことに基づいて、最後のカウンタ値をシグナリングすることを特徴とする、請求項１に記載のデータ再送信方法。
【請求項５】
前記カウンタ値は、前記第１ＤＣＩを受信する場合に初期化されることを特徴とする、請求項４に記載のデータ再送信方法。
【請求項６】
ポーリングオン／オフ（ｐｏｌｌｉｎｇ  ｏｎ／ｏｆｆ）フィールドが前記第１ＤＣＩ内に定義されたことに基づいて、Ｎ番目のサブフレームでポーリングオンＵＬグラントが受信されると、前記Ｎ番目のサブフレーム時点以後に受信する前記第１ＤＣＩの指示対象となるＵＬグラントは、前記Ｎ番目のサブフレーム以前の最も近いポーリングオンＵＬグラント受信時点からＮ−１番目のサブフレームまでの区間の間に受信されたＵＬグラントであることを特徴とする、請求項１に記載のデータ再送信方法。
【請求項７】
前記第１ＤＣＩは、端末特定的ＤＣＩであり、又は、端末共通的ＤＣＩであることを特徴とする請求項１に記載のデータ再送信方法。
【請求項８】
前記第１ＤＣＩは、非適応型再送信オン／オフフィールド、非適応型再送信タイミングフィールド、リダンダンシーバージョン（ｒｅｄｕｎｄａｎｃｙ  ｖｅｒｓｉｏｎ；ＲＶ）フィールド、及び／又は、非周期的チャネル状態情報（ｃｈａｎｎｅｌ  ｓｔａｔｅ  ｉｎｆｏｒｍａｔｉｏｎ；ＣＳＩ）送信要求フィールドのうち少なくともいずれか一つを含むことを特徴とする、請求項１に記載のデータ再送信方法。
【請求項９】
前記第１ＤＣＩの検出関連無線ネットワーク臨時識別子（ｒａｄｉｏ  ｎｅｔｗｏｒｋ  ｔｅｍｐｏｒａｒｙ  ｉｄｅｎｔｉｆｉｅｒ；ＲＮＴＩ）値は、独立的にシグナリングされることを特徴とする、請求項１に記載のデータ再送信方法。
【請求項１０】
前記第１ＤＣＩに対する検索空間上の送信関連パラメータは、事前に設定されることを特徴とする、請求項１に記載のデータ再送信方法。
【請求項１１】
前記端末が同じＨＡＲＱプロセスＩＤに対して前記第１ＤＣＩとＵＬグラントを両方とも受信することに基づいて、前記ＵＬグラントによって再送信が実行されることを特徴とする、請求項１に記載のデータ再送信方法。
【請求項１２】
前記第１ＤＣＩ内に、ＨＡＲＱプロセスＩＤ別にＡＣＫ／ＮＡＣＫ送信タイミングフィールドが構成されることを特徴とする、請求項１に記載のデータ再送信方法。
【請求項１３】
前記第１ＤＣＩ内に、ＨＡＲＱプロセスＩＤ別にＡＣＫ／ＮＡＣＫリソース指示子（ｒｅｓｏｕｒｃｅ  ｉｎｄｉｃａｔｏｒ；ＡＲＩ）フィールドが構成され、前記ＡＲＩに基づいて物理アップリンク制御チャネル（ｐｈｙｓｉｃａｌ  ｕｐｌｉｎｋ  ｃｏｎｔｒｏｌ  ｃｈａｎｎｅｌ；ＰＵＣＣＨ）リソースが割り当てられることを特徴とする、請求項１に記載のデータ再送信方法。
【請求項１４】
前記第１ＤＣＩのペイロードの大きさが、アップリンク（ＵＬ）グラントを含む第２ＤＣＩのペイロードの大きさと同じであり、
前記第１ＤＣＩは、前記第１ＤＣＩにおけるフラッグに基づいて、識別されるものである、請求項１に記載のデータ再送信方法。
【請求項１５】
前記第１ＤＣＩは、再送信のための送信パワー命令（ｔｒａｎｓｍｉｔ  ｐｏｗｅｒ  ｃｏｍｍａｎｄｓ：ＴＰＣ）を含んでなる、請求項１に記載のデータ再送信方法。
【請求項１６】
無線通信システムにおける確認応答（ａｃｋｎｏｗｌｅｄｇｅｍｅｎｔ／ｎｏｔ−ａｃｋｎｏｗｌｅｄｇｅｍｅｎｔ；ＡＣＫ／ＮＡＣＫ）情報を受信する通信装置であって、
無線信号を送信及び受信するＲＦ（Ｒａｄｉｏ  Ｆｒｅｑｕｅｎｃｙ）部；及び、
前記ＲＦ部を制御するプロセッサ；を備えてなり、
前記プロセッサは、
ネットワークに、アップリンクデータを送信し、及び
前記ネットワークから、前記ＡＣＫ／ＮＡＣＫ情報を含む第１ダウンリンク制御情報（ｄｏｗｎｌｉｎｋ  ｃｏｎｔｒｏｌ  ｉｎｆｏｒｍａｔｉｏｎ；ＤＣＩ）を受信するものであり、
前記ＡＣＫ／ＮＡＣＫ情報は、複数のＨＡＲＱプロセスＩＤ（ｈｙｂｒｉｄ  ａｕｔｏｍａｔｉｃ  ｒｅｐｅａｔ  ｒｅｑｕｅｓｔ  ｐｒｏｃｅｓｓ  ｉｄｅｎｔｉｆｉｅｒ）であり、
前記ＡＣＫ／ＮＡＣＫ情報の長さは複数のビットであり、
前記複数のＨＡＲＱプロセスＩＤは、昇順において、前記複数のビットであり、
前記複数のＨＡＲＱプロセスＩＤにおける各ＨＡＲＱプロセスＩＤは、前記複数のビットにおける１つのビットであることを特徴とする、通信装置。
【手続補正書】
【提出日】令和2年10月5日(2020.10.5)
【手続補正１】
【補正対象書類名】特許請求の範囲
【補正対象項目名】全文
【補正方法】変更
【補正の内容】
【特許請求の範囲】
【請求項１】
活性化Ｃ１ｓに特異的に結合する抗体であって：
配列番号：１を含むＶＬ相補性決定領域（ＣＤＲ）１、配列番号：２を含むＶＬ  ＣＤＲ２、および配列番号：３を含むＶＬ  ＣＤＲ３を含む、軽鎖可変（ＶＬ）領域；
軽鎖定常領域；
配列番号：４を含むＶＨ  ＣＤＲ１、配列番号：５を含むＶＨ  ＣＤＲ２、および配列番号：６を含むＶＨ  ＣＤＲ３を含む、重鎖可変（ＶＨ）領域；ならびに
配列番号：５２のＩｇＧ４定常領域配列に対して、アミノ酸残基１０８、１１５、３０８および３１４に、それぞれ、プロリン（Ｐｒｏ）、グルタミン酸（Ｇｌｕ）、ロイシン（Ｌｅｕ）およびセリン（Ｓｅｒ）置換を含む、重鎖ＩｇＧ４定常領域；
を含む、上記抗体。
【請求項２】
活性化Ｃ１ｓに特異的に結合する抗体であって：
配列番号：１を含むＶＬ相補性決定領域（ＣＤＲ）１、配列番号：２を含むＶＬ  ＣＤＲ２、および配列番号：３を含むＶＬ  ＣＤＲ３を含む、軽鎖可変（ＶＬ）領域；
軽鎖定常領域；
配列番号：４を含むＶＨ  ＣＤＲ１、配列番号：５を含むＶＨ  ＣＤＲ２、および配列番号：６を含むＶＨ  ＣＤＲ３を含む、重鎖可変（ＶＨ）領域；ならびに
配列番号：２８の配列を含む、重鎖ＩｇＧ４定常領域；
を含む、上記抗体。
【請求項３】
ＶＬ領域は配列番号：２０、２２、および２４からなる群から選択されるアミノ酸配列を含む、請求項１または２に記載の抗体。
【請求項４】
ＶＨ領域は配列番号：１０、１２、１４、１６、および１８からなる群から選択されるアミノ酸配列を含む、請求項１〜３のいずれか１項に記載の抗体。
【請求項５】
（ａ）ＶＨ領域は配列番号：１０を含み、ＶＬ領域は配列番号：２０を含むか；
（ｂ）ＶＨ領域は配列番号：１０を含み、ＶＬ領域は配列番号：２２を含むか；
（ｃ）ＶＨ領域は配列番号：１０を含み、ＶＬ領域は配列番号：２４を含むか；
（ｄ）ＶＨ領域は配列番号：１２を含み、ＶＬ領域は配列番号：２０を含むか；
（ｅ）ＶＨ領域は配列番号：１２を含み、ＶＬ領域は配列番号：２２を含むか；
（ｆ）ＶＨ領域は配列番号：１２を含み、ＶＬ領域は配列番号：２４を含むか；
（ｇ）ＶＨ領域は配列番号：１４を含み、ＶＬ領域は配列番号：２０を含むか；
（ｈ）ＶＨ領域は配列番号：１４を含み、ＶＬ領域は配列番号：２２を含むか；
（ｉ）ＶＨ領域は配列番号：１４を含み、ＶＬ領域は配列番号：２４を含むか；
（ｊ）ＶＨ領域は配列番号：１６を含み、ＶＬ領域は配列番号：２０を含むか；
（ｊ）ＶＨ領域は配列番号：１６を含み、ＶＬ領域は配列番号：２２を含むか；
（ｋ）ＶＨ領域は配列番号：１６を含み、ＶＬ領域は配列番号：２４を含むか；
（ｌ）ＶＨ領域は配列番号：１８を含み、ＶＬ領域は配列番号：２０を含むか；
（ｍ）ＶＨ領域は配列番号：１８を含み、ＶＬ領域は配列番号：２２を含むか；または
（ｎ）ＶＨ領域は配列番号：１８を含み、ＶＬ領域は配列番号：２４を含む、
請求項１〜４のいずれか１項に記載の抗体。
【請求項６】
ＶＨ領域は配列番号：１４を含み、ＶＬ領域は配列番号：２２を含む、請求項５に記載の抗体。
【請求項７】
軽鎖定常領域は配列番号：４５を含み、重鎖ＩｇＧ４定常領域は配列番号：２８を含む、請求項１に記載の抗体。
【請求項８】
重鎖は配列番号：２９を含む、請求項１または２に記載の抗体。
【請求項９】
軽鎖は配列番号：３０を含む、請求項１または２に記載の抗体。
【請求項１０】
抗体は、二重特異性抗体または多重特異性抗体である、請求項１〜９のいずれか１項に記載の抗体。
【請求項１１】
請求項１〜１０のいずれか１項に記載の抗体を含む、イムノコンジュゲート。
【請求項１２】
請求項１〜１０のいずれか１項に記載の抗体をコードする、ヌクレオチド配列またはヌクレオチド配列の組。
【請求項１３】
請求項１２に記載のヌクレオチド配列またはヌクレオチド配列の組を含む、ベクターまたはベクターの組。
【請求項１４】
請求項１２に記載のヌクレオチド配列もしくはヌクレオチド配列の組、または、請求項１３に記載のベクターもしくはベクターの組を含む、宿主細胞。
【請求項１５】
請求項１〜１０のいずれか１項に記載の抗体、請求項１１に記載のイムノコンジュゲート、請求項１２に記載のヌクレオチド配列もしくはヌクレオチド配列の組、請求項１３に記載のベクターもしくはベクターの組、または請求項１４に記載の宿主細胞、および薬学的に許容される賦形剤を含む、医薬組成物。
【請求項１６】
それを必要とする対象において補体経路を阻害する方法において使用するための、請求項１５に記載の医薬組成物であって、前記方法は、薬学的有効量の医薬組成物を対象に投与することを含む、上記医薬組成物。
【請求項１７】
それを必要とする対象において補体媒介性疾患または障害を治療する方法において使用するための、請求項１５に記載の医薬組成物であって、前記方法は、薬学的有効量の医薬組成物を対象に投与することを含む、上記医薬組成物。
【請求項１８】
補体媒介性疾患または障害が、寒冷凝集素症、免疫性血小板減少性紫斑病、水疱性類天疱瘡、多巣性運動ニューロパチー、および関節リウマチからなる群から選択される、請求項１７に記載の医薬組成物。
【請求項１９】
対象が、自己免疫疾患または抗体媒介性移植拒絶反応を有する、請求項１７に記載の医薬組成物。
【請求項２０】
投与が、静脈内投与、筋肉内投与、髄腔内投与、および皮下投与からなる群から選択される、請求項１６〜１９のいずれか１項に記載の医薬組成物。
【手続補正書】
【提出日】令和2年9月10日(2020.9.10)
【手続補正１】
【補正対象書類名】特許請求の範囲
【補正対象項目名】全文
【補正方法】変更
【補正の内容】
【特許請求の範囲】
【請求項１】
ａ）配列番号１３、配列番号１５および／もしくは配列番号１７を含む重鎖可変領域ならびに配列番号１９、配列番号２１および／もしくは配列番号２３を含む軽鎖可変領域、
ｂ）配列番号１、配列番号３および／もしくは配列番号５を含む重鎖可変領域ならびに配列番号７、配列番号９および／もしくは配列番号１１を含む軽鎖可変領域、
ｃ）配列番号２５、配列番号２７および／もしくは配列番号２９を含む重鎖可変領域ならびに配列番号３１、配列番号３３および／もしくは配列番号３５を含む軽鎖可変領域、
ｄ）配列番号３７、配列番号３９および／もしくは配列番号４１を含む重鎖可変領域ならびに配列番号４３、配列番号４５および／もしくは配列番号４７を含む軽鎖可変領域、
ｅ）配列番号１３、配列番号４９および／もしくは配列番号１７を含む重鎖可変領域ならびに配列番号５１、配列番号５３および／もしくは配列番号２３を含む軽鎖可変領域、
ｆ）配列番号５５、配列番号５７および／もしくは配列番号５９を含む重鎖可変領域ならびに配列番号６１、配列番号６３および／もしくは配列番号６５を含む軽鎖可変領域、または
ｇ）配列番号１、配列番号６７および／もしくは配列番号６９を含む重鎖可変領域ならびに配列番号７、配列番号９および／もしくは配列番号７１を含む軽鎖可変領域、
を含む、単離された抗体またはその抗原結合断片。
【請求項２】
ａ）配列番号７７を含む重鎖可変領域および配列番号７９を含む軽鎖可変領域、
ｂ）配列番号７３を含む重鎖可変領域および配列番号７５を含む軽鎖可変領域、
ｃ）配列番号８１を含む重鎖可変領域および配列番号８３を含む軽鎖可変領域、
ｄ）配列番号８５を含む重鎖可変領域および配列番号８７を含む軽鎖可変領域、
ｅ）配列番号８９を含む重鎖可変領域および配列番号９１を含む軽鎖可変領域、
ｆ）配列番号９３を含む重鎖可変領域および配列番号９５を含む軽鎖可変領域、
ｇ）配列番号９７を含む重鎖可変領域および配列番号９９を含む軽鎖可変領域、または
ｈ）ａ）、ｂ）、ｃ）、ｄ）、ｄ）、ｆ）もしくはｇ）に対して少なくとも８０％の配列同一性のある重鎖可変領域および軽鎖可変領域
を含む、請求項１に記載の抗体またはその抗原結合断片。
【請求項３】
完全ヒトモノクローナル抗体である、請求項１または２に記載の抗体またはその抗原結合断片。
【請求項４】
請求項１から３のいずれかに記載の抗体またはその抗原結合断片と同一のエピトープについて競合する、抗体またはその抗原結合断片。
【請求項５】
ラクダ化単一ドメイン抗体、ダイアボディー、ｓｃＦｖ、ｓｃＦｖ二量体、ＢｓＦｖ、ｄｓＦｖ、（ｄｓＦｖ）２、ｄｓＦｖ−ｄｓＦｖ’、Ｆｖ断片、Ｆａｂ、Ｆａｂ’、Ｆ（ａｂ’）２、ｄｓダイアボディー、ナノボディー、ドメイン抗体または二価ドメイン抗体である、請求項１から４のいずれかに記載の抗体またはその抗原結合断片。
【請求項６】
免疫グロブリン定常領域をさらに含む、請求項１から５のいずれかに記載の抗体またはその抗原結合断片。
【請求項７】
コンジュゲートをさらに含む、請求項１から６のいずれかに記載の抗体またはその抗原結合断片。
【請求項８】
請求項１から６のいずれかに記載の抗体またはその抗原結合断片をコードする単離されたポリヌクレオチド。
【請求項９】
請求項８に記載の単離されたポリヌクレオチドを含むベクター。
【請求項１０】
請求項９に記載のベクターを含む宿主細胞。
【請求項１１】
請求項１から６のいずれかに記載の抗体またはその抗原結合断片を発現させる方法であって、抗体またはその抗原結合断片をコードする単離されたポリヌクレオチドを含むベクターを含む宿主細胞を、ポリヌクレオチドが発現される条件下で培養することを含む、方法。
【請求項１２】
請求項１から７のいずれかに記載の抗体またはその抗原結合断片を含むキット。
【請求項１３】
請求項１から６のいずれかに記載の抗体またはその抗原結合断片および１種または複数の医薬上許容される担体を含む医薬組成物。
【請求項１４】
個体においてＰＣＳＫ９によって媒介される疾患または状態を処置する方法であって、個体に抗体またはその抗原結合断片の治療上有効な量を投与することを含む方法に用いるための、請求項１３に記載の医薬組成物。
【請求項１５】
個体が、ＰＣＳＫ９阻害剤に応答する可能性が高い障害または状態を有すると同定されている、請求項１４に記載の医薬組成物。
【請求項１６】
個体が、個体から得られた試験生体サンプルにおける血清ＬＤＬコレステロール、総コレステロールおよび／または非ＨＤＬコレステロールの上方制御されたレベルとして同定されている、請求項１５に記載の医薬組成物。
【請求項１７】
個体が、血清ＬＤＬコレステロール、総コレステロールおよび／または非ＨＤＬコレステロールの上方制御されたレベルを有する、請求項１４に記載の医薬組成物。
【請求項１８】
状態が、心血管疾患、炎症性疾患または感染性疾患である、請求項１４に記載の医薬組成物。
【請求項１９】
感染性疾患が敗血症である、請求項１８に記載の医薬組成物。